(57)【特許請求の範囲】
【請求項１】
書画を載置することのできる透過型の表示部を備えた表示器と、
前記表示部上に載置した書画を撮影する書画カメラと、
前記書画カメラで撮影した画像を格納して処理するメモリ及びＣＰＵと、
前記撮影した画像の輝度むらを前記画像の各部毎に検出する検出部と、
前記検出部の検出結果を基に前記表示部の表示光を調整する表示制御部を備え、
輝度むらが所定値以上で白飛びをしている部分を検出したとき、該部分に対応する表示器の表示部を白色に発光させて白飛びを抑制することを特徴とする書画カメラ装置。
【請求項２】
請求項１に記載の書画カメラ装置において、
液晶表示器を発光させない状態および液晶表示器を白に発光させた状態での画像をそれぞれ前記書画カメラで取得し、所定のコントラストが得られた前記発光させた状態および場所を、発光状態および書画を載置する場所として案内表示することを特徴とする書画カメラ装置。
【請求項３】
請求項１に記載の書画カメラ装置において、
前記表示部に顧客に対する案内情報を表示することを特徴とする書画カメラ装置。  
【請求項４】
請求項１に記載の書画カメラ装置において、
前記表示部を前記書画に記載されている罫線と同じ色に発光させることを特徴とする書画カメラ装置。
【発明の詳細な説明】
【技術分野】
【０００１】
本発明は、書画カメラ装置にかかり、特に書画を載置することのできる透過型の表示部を有する表示器を備えた書画カメラ装置に関する。
【背景技術】
【０００２】
銀行業務などにおいて、伝票等の書画を書画カメラで読取る際には、前記書画を照射する外光の影響を強く受ける。すなわち、前記外光の影響により、読み取る書面の明るさは、通常、均一となってはいないため、読取った書画データの一部、例えば外光の当たる部分のコントラストが他の部分と相違することになる。このような場合においては、書画データに読取り易い部分と読取り難い部分が発生する。
【０００３】
このような読取り易さの差を緩和するために、読取ったデータをソフトウェアにより処理する方法、例えば部分的に２値化する閾値を調整する方法が知られている。
【０００４】
特許文献１には、基準とする照度環境から照度が変動したと判定したとき、補正画像格納メモリに複写された画像データを用いて濃度補正処理を施ことにより、読取精度を向上することが示されている。
【先行技術文献】
【特許文献】
【０００５】
【特許文献１】特開２００６−１５７１５５号公報
【発明の概要】
【発明が解決しようとする課題】
【０００６】
前述のように、書画を読み取る際の書面の明るさは、外光の影響により均一とならない。このため、書画を読み取った画像のコントラストは一定にならず、暗い部分の文字が黒く潰れ、明るい部分の文字が白飛びして取り込めない場合が生じる。
【０００７】
このため、書画カメラにおいては、読み取った画像のコントラストを均一とすることが重要である。
【０００８】
これに対して、従来の技術は、読取った画像に対して、部分的にソフトウェアによる処理を施してコントラストの補正を実行している。
【０００９】
読取った画像に対して部分的に補正することは、その部分の画像データを読み易くするための加工を施すことになる。しかしながら、印影データのように読取ったイメージデータに加工を施すことなく使用することが望ましいデータに対しては、画像の取込み時において安定したコントラストを得ることが必要となる。
【００１０】
本発明は、このような問題点に鑑みてなされたもので、画像の取込み時において安定したイメージデータを得ることのできる書画カメラ装置を提供するものである。
【課題を解決するための手段】
【００１１】
本発明は上記課題を解決するため、次のような手段を採用した。
【００１２】
書画を載置することのできる透過型の表示部を備えた表示器と、
前記表示部上に載置した書画を撮影する書画カメラと、
前記書画カメラで撮影した画像を格納して処理するメモリ及びＣＰＵと、
前記撮影した画像の輝度むらを前記画像の各部毎に検出する検出部と、
前記検出部の検出結果を基に前記表示部の表示光を調整する表示制御部を備え、
輝度むらが所定値以上で白飛びをしている部分を検出したとき、該部分に対応する表示器の表示部を白色に発光させて白飛びを抑制する。
【発明の効果】
【００１３】
本発明は、以上のように、書画を透過型の表示部上に載置し、前記表示部によりコントラストを調整してから書画を読み取るため、画像の取込み時において安定したイメージデータを得ることができる。
【図面の簡単な説明】
【００１４】
【図１】書画カメラ装置の概略構成を説明する図である。
【図２】書画カメラ装置および書画カメラ装置を制御する制御装置の詳細を説明する図である。
【図３】制御装置の処理フローを説明する図である。
【発明を実施するための形態】
【００１５】
以下、実施形態を添付図面を参照しながら説明する。図１は、書画カメラ装置の概略構成を説明する図、図２は、書画カメラ装置および書画カメラ装置を制御する制御装置（ＰＣ）の詳細を説明する図、図３は前記制御装置の処理フローを説明する図である。
【００１６】
図１に示すように、書画カメラ装置１は書画カメラ部２と透過型の表示器例えば液晶表示器３を備える。また、図２に示すように、書画カメラ装置１は制御装置４に接続され、制御装置４は、書画カメラ部２を制御し、また、書画カメラ２が撮影した画像データを受信する。
【００１７】
書画カメラ制御部５は、書画カメラ装置１のカメラ部を制御するとともに、カメラ部２撮影した画像データを受信し、受信した画像データをメモリ６に格納する。
【００１８】
液晶表示制御部８は、書画カメラ装置１の液晶表示器３の表示を制御する。また、画面表示制御部９は、オペレータ向けの表示装置１０に表示する画像データ及び文字認識データの表示を制御する。また、ＣＰＵ７は、各制御部をコントロールする。
【００１９】
次に、図３を参照して、全体の処理フローを説明する。まず、オペレータは顧客から伝票を受け取り、書画カメラ装置１の液晶表示器３上に置き、伝票の読取り操作を開始する（ステップ１０１）。書画カメラ２は前記伝票の画像を読取り、制御装置４の書画カメラ制御部５は読み取った前記伝票の画像データを受け取り、メモリ４に格納する。ＣＰＵ７は、前記画像データの黒部分の輝度が均一（輝度が所定範囲内）であるか否かをチェックする（ステップ１０２）。黒部分の輝度が均一であれば（少なくとも重要度の高い読み取り範囲内において均一であれば）、読取ったデータが最適なものであるとして、画像データからの文字認識あるいは画像データから印影部の切り出し等の処理を実施する（ステップ１０３，１０９）。
【００２０】
黒部分の輝度が所定範囲内でなければ、輝度の高い領域（外光が強く当ることで白飛びをしている領域等）を検出し（ステップ１０５）、液晶表示器３の前記領域に対応する部分を白に発光するように、液晶表示制御部８を制御する（ステップ１０６）。このように液晶表示器により書画の白飛びしている部分の裏面を照射すると、白飛びを抑制して書画表面に記載された文字を認識しやすくすることができる。
【００２１】
なお、伝票の読取りにおいては、業務の種類毎にそれぞれ重要度の高い読み取り領域が存在する。このように重要度の高い領域に対しても、前述と同様に、画像データの黒部分の輝度が所定範囲内であるか否かをチェックし、黒部分の輝度が所定範囲内でなければ、輝度の高い領域（外光が強く当ることで読みにくくなっている部分）を検出し（ステップ１０７）、液晶表示器３の前記輝度の高い領域に対応する部分を白に発光するように、液晶表示制御部８を制御する（ステップ１０８）。
【００２２】
なお、前記ステップ１０７，１０８は、前記ステップ１０４に続いて実行することができる。
【００２３】
以上説明した黒部分の輝度に対する調整を、黒部分の輝度が所定範囲に入るまで繰り返し実施し、画面全体、あるいは前記重要部分における黒部分の輝度が所定範囲内に収まったところで、伝票の読取りを実施する。このようにして画像の黒部分の輝度が最適な状態となったところで、文字の認識を実施する。
【００２４】
なお、外光が十分に得られず、液晶表示器上に載置した伝票が暗い場合がある。この場合、液晶表示器３の発光を強くする。この場合には、伝票表面で反射する光により画像を読取るのでなく、伝票を透過する光により画像を読取ることになる。
【００２５】
この場合においても、前記液晶表示器３の発光強度及びその分布を調整して、再度、画像を取り込むことを繰り返し、取り込んだ画像の文字認識の結果から、前記液晶表示器を認識に適した発光強度及びその分布で発光させることができる。すなわち、前記液晶表示器に画像認識に適した画像を表示することができる。このため、印影データのように、ソフトウエアによる加工が施されていないデータの保管したい場合に好適である。
【００２６】
また、前述のように輝度を調整して画像を読み取っても、文字認識ができない場合がある。例えば、認識すべき文字が、罫線等の周辺の印刷部分にかかるように記載された文字である場合には、文字認識が困難となる。このような場合においては、前記液晶表示器の発光色を罫線と同じ色にする。こうすると、罫線が読取りにくくなり、記入した文字は読取りやすくなる。
【００２７】
以上の例では、読み取り対象である伝票を表示器の予め定められた位置に配置することを前提に説明した。しかし、伝票を前記表示器の外光による影響の少ない位置におくこともできる。この場合には、何も表示しない状態の液晶表示器３および白を表示した状態の液晶表示器３とを書画カメラ部２で撮像して画像を取得し、取得した画像に存在するむらの程度を調べ、所定以上の画質で画像が読取れている場所及び表示の状態を、読み取りに適した位置（伝票をおく位置）及び表示の状態として指定して伝票を読取ることもできる。
【００２８】
伝票の置く位置の指定は、書画カメラ装置１の伝票を置く台が液晶表示器３であるため、該表示器をを利用して表示することができる。また、伝票をおく位置は、オペレータが行う業務毎に、伝票の大きさ、伝票上の読取り位置が異なるため、伝票の読取り位置が読み取りに適した位置となるように、伝票毎に案内を表示することが望ましい。      
以上は、液晶表示器の発光強度を調整することにより、所望のコントラストを得て、これにより文字認識をするための最適なデータを得る点について説明した。しかし、伝票の画像をイメージデータとして処理をする場合においては、イメージデータの必要な部分を認識しやすくすることもできる。すなわち、認識しやすくしたいイメージデータの色に対して補色となる色で液晶表示器３を発光させる。
【００２９】
このように補色となる色で表示器を発色させることで、必要とする部分のイメージデータを目立たせることができる。例えば、印鑑は朱肉を使って押印されるので、赤色となっている。この場合、印鑑部分の背景を緑に発色させることで、印鑑を目立たせることができ、書画カメラ部２で読取ったイメージデータを表示装置１０に表示する場合、見やすい画像となる。
【００３０】
また、本実施形態では、書画カメラ装置１の伝票置台を液晶表示器３で構成している。このため、液晶表示器３に様々な表示をさせることができる。例えば、前記書画カメラ装置１が銀行のオペレータ操作用として設置されている場合は、オペレーションの補助になる補助情報、操作ガイド等を液晶表示器３に表示することができる。これにより、オペレータ向けの表示装置１０の表示に影響を与えることがなく、オペレータ操作の補助ができる。
【００３１】
前記書画カメラ装置１を銀行の相談コーナに設置する場合は、顧客に案内する情報を表示することで、顧客への案内表示器の代わりとして使用することができる。この場合には、顧客向けに表示器を新たに設置することなく、設置機器の削減と省スペースを図ることができる。
【００３２】
また、印影のように色の付いたデータで、ソフトウエアによる加工が施されないデータを保管したい場合にも適している。
【００３３】
以上説明したように、銀行使用される書画カメラは伝票を読取るためであり、前記伝票は薄い紙媒体あり、光を完全に遮断することはない。
【００３４】
書画カメラで読取った画像の中で黒部分の輝度に差が生じるのは、外光が伝票に対して均一に当っていないことに起因する。このため、前記伝票の裏側から光を当てることで、読取った画像の黒部分の輝度を調整することができる。すなわち、伝票を置く台に液晶表示器を使用して、該表示器の発光強度分布を前記外光による影響の相殺するように変更することができる。このように、読取った画像の黒部分の輝度が均一でない場合は、伝票に裏から当たる光量の調整をすることことにより外光の不均一を補償することができる。このように液晶表示器の発光強度を調整してから、再度書類を読取ることで最適な画像を取り込むことができる。
【００３５】
このように、外光の影響を少なくすることで、読取る画像の黒部分の輝度を安定させることができ、画像のコントラストが安定することで、読取った画像データからの文字認識の精度を向上させることができる。また、文字認識をすべき文字が伝票の罫線にかかっている場合は、罫線が赤であるなら伝票を置く台となっている液晶表示器で赤色を発色させることで、罫線を読取りにくくして、画像認識における文字の読取り精度を向上させることもできる。また文字認識の精度を向上させながら、読取り画像をソフトウエアにより加工していないので、印影のデータとしての利用に好適である。
【符号の説明】
【００３６】
１  書画カメラ装置
２  書画カメラ部    
３  液晶表示器
４  制御装置
５  書画カメラ制御部
６  メモリ   
７  ＣＰＵ   
８  液晶表示制御部
９  画面表示制御部
１０  表示装置
【図１】
0005486478.tif 000002
【図２】
0005486478.tif 000003
【図３】
0005486478.tif 000004